(57)【要約】【課題】冷凍サイクル装置の起動直後などの過渡状態においても、高い精度で吐出圧力を推定することができ、放熱器での熱交換熱量を低下させることなく、吐出圧力の異常上昇を防止できる冷凍サイクル装置を提供すること。【解決手段】放熱器２に湯水を循環させる搬送手段１７と、圧縮機１の電流値を検出する圧縮機電流値検出手段７と、蒸発器４の冷媒の温度を検出する蒸発器温度検出手段８と、外気温度を検出する外気温度検出手段９と、前記圧縮機電流値検出手段７が検出した電流値と前記蒸発器温度検出手段８が検出した蒸発温度と前記外気温度検出手段９が検出した外気温度とに基づいて、圧縮機１より吐出される冷媒の圧力を推定する吐出圧力推定手段１１とを備え、吐出圧力推定手段１１により推定した圧力値が、予め設定された閾値を超えたときに、搬送手段１７の動作を変更することを特徴とする冷凍サイクル装置。【選択図】図１
2012067930.tif 000002
【特許請求の範囲】
【請求項１】
圧縮機、放熱器、減圧機構、蒸発器が環状に接続されて冷媒が循環する冷媒回路と、前記放熱器に湯水を循環させる搬送手段と、前記圧縮機の電流値を検出する圧縮機電流値検出手段と、前記蒸発器の冷媒の温度を検出する蒸発器温度検出手段と、外気温度を検出する外気温度検出手段と、前記圧縮機電流値検出手段が検出した電流値と前記蒸発器温度検出手段が検出した蒸発温度と前記外気温度検出手段が検出した外気温度とに基づいて、前記圧縮機より吐出される冷媒の圧力を推定する吐出圧力推定手段とを備え、前記吐出圧力推定手段により推定した圧力値が、予め設定された閾値を超えたときに、前記搬送手段の動作を変更することを特徴とする冷凍サイクル装置。
【請求項２】
前記圧縮機から吐出される冷媒の温度を検出する吐出温度検出手段を備え、前記吐出圧力推定手段は、前記吐出温度検出手段が検出した吐出温度を用いて吐出圧力を推定することを特徴とする請求項１に記載の冷凍サイクル装置。
【請求項３】
前記吐出圧力推定手段により推定した吐出圧力が、予め設定された目標値に一致するように、前記搬送手段の動作を制御することを特徴とする請求項１または２に記載の冷凍サイクル装置。
【発明の詳細な説明】
【技術分野】
【０００１】
本発明は、冷凍サイクル装置に関するものである。
【背景技術】
【０００２】
従来、この種の冷凍サイクル装置は、図９に示すように構成される。図９はヒートポンプ給湯機に搭載の冷凍サイクル装置であり、１は圧縮機、２は放熱器、３は膨張弁、４は蒸発器であり、これらはこの順で環状に構成され、冷媒回路５を形成している。
【０００３】
１５は入水配管、１６は出湯配管である。また、５１は圧力スイッチであり、圧縮機１と放熱器２との間の冷媒回路５から分岐して備えられる。５２はスイッチ手段であり、冷凍サイクル装置に供給されるＡＣ電源回路上に備えられる。５５は分岐配管であり、圧縮機１と放熱器２との間の冷媒回路５から分岐して圧力スイッチ５１を連結している（例えば、特許文献１参照）。
【０００４】
圧縮機１から吐出された高圧の冷媒は放熱器２へ供給され、放熱器２において水と熱交換を行って放熱した後に膨張弁３に供給される。膨張弁３にて減圧された後、蒸発器４に供給されて吸熱した後、圧縮機１へ吸入される。圧縮機１から吐出される冷媒の吐出圧力が臨界圧力以下である冷凍サイクル装置（例えば、Ｒ４１０Ａを冷媒として使用する空気調和機に搭載の冷凍サイクル装置）においては、凝縮器の凝縮温度から吐出圧力を推定し、吐出圧力の異常上昇を認知することができるものの、吐出圧力が臨界圧力を超える冷凍サイクル装置（例えば、二酸化炭素を冷媒として使用するヒートポンプ給湯機に搭載の冷凍サイクル装置）においては、放熱器２の温度から吐出圧力を推定することが難しい。
【０００５】
そこで、圧力スイッチ５１は、圧縮機１が吐出する冷媒の圧力が予め設定された閾値を超えたときに動作し、スイッチ手段５２は、圧力スイッチ５１の動作に伴ってオンからオフへと切り替えてＡＣ電源回路を遮断する。これらを備えることによって、高圧側において冷媒が超臨界状態となる冷凍サイクル装置においても、吐出圧力の異常上昇を認知することができ、冷凍サイクル装置の運転を停止して、吐出圧力の異常上昇を防止する役割を果たす。
【０００６】
また、この種の他の冷凍サイクル装置は、図１０に示すように構成される。圧力スイッチや圧力センサーのような圧力検出手段を備えず、吐出圧力を冷凍サイクル装置の運転状態から推定する吐出圧力推定手段１１を備えている。
【０００７】
また、圧縮機１の電動機へ流れる電流値を検出する圧縮機電流値検出手段７と、電動機の回転速度を検出する圧縮機回転速度検出手段５３と、放熱器２から膨張弁３へ送られる冷媒の温度を検出する放熱器出口温度検出手段５４と、蒸発器４での冷媒温度を検出する蒸発器温度検出手段８とを備え、吐出圧力推定手段１１が少なくとも圧縮機電流値検出手段７、圧縮機回転速度検出手段５３、放熱器出口温度検出手段５４及び蒸発器温度検出手段８が検出した値に基づいて、吐出圧力推定手段１１が、予め記録されている電動機の消費電力と吐出圧力の相関関係から吐出圧力を推定する。この吐出圧力推定手段１１を備えることにより、圧力スイッチや圧力センサーを備えずとも、吐出圧力の認知を可能としている（例えば、特許文献２参照）。
【０００８】
また、冷凍サイクル装置に、吐出圧力推定手段１１を備えることにより、圧力スイッチや圧力センサーのような圧力検出手段を備えずとも、圧縮機１が吐出する冷媒の圧力値を推定し、推定した吐出圧力の圧力値が予め設定しておいた圧力の許容値を超えないように
、圧縮機１の回転数を制御することにより、吐出圧力の圧力値を下げることができ、吐出圧力の異常上昇を防止する役割を果たすことが可能となる（例えば、特許文献３参照）。
【先行技術文献】
【特許文献】
【０００９】
【特許文献１】特許第４２２２２２７号公報
【特許文献２】特開２００４−３６９２号公報
【特許文献３】特許第２９２４４４５号公報
【発明の概要】
【発明が解決しようとする課題】
【００１０】
しかしながら、特許文献１に記載の冷凍サイクル装置においては、圧力スイッチ５１や分岐配管５５が圧縮機１から吐出される冷媒の温度と略同一温度に上昇する（約９０〜１２０℃）ため、これらの部分からの熱漏洩を生じてしまい、冷凍サイクル装置のエネルギー消費効率を低下させてしまうという課題を有していた。
【００１１】
また、特許文献２に記載の冷凍サイクル装置においては、圧力スイッチや圧力センサーなどの圧力検出手段を備えずに、冷凍サイクル装置の運転状態から吐出圧力を推定する吐出圧力推定手段１１を備えており、圧力検出手段を備えることによる熱漏洩は生じないものの、冷凍サイクル装置の起動直後などの過渡状態においては、蒸発器４における冷媒温度が急激な変化するため、蒸発器温度検出手段８が検出する蒸発器温度が時間遅れを有して蒸発器における真の冷媒温度を正しく検出することができず、吐出圧力の推定精度が損なわれてしまうという課題を有していた。
【００１２】
一方、特許文献３に記載の冷凍サイクル装置では、圧力スイッチや圧力センサーなどの圧力検出手段を備えないため、部品点数を削減できるが、吐出圧力の圧力値が予め設定しておいた圧力の許容値を超えないように、圧縮機１の駆動周波数を低くすることで高圧側冷媒の吐出圧力を下げているため、冷凍サイクル装置が発生する熱量が小さくなり、放熱器２での熱交換可能な熱量が減少し、例えば給湯機に用いる場合は沸き上げ時間が長くなるという課題を有していた。
【００１３】
本発明は、前記従来の課題を解決するもので、冷凍サイクル装置の起動直後などの過渡状態においても、高い精度で吐出圧力を推定することができ、放熱器での熱交換熱量を低下させることなく、吐出圧力の異常上昇を防止できる冷凍サイクル装置を提供することを目的とする。
【課題を解決するための手段】
【００１４】
上記目的を達成するために、本発明の冷凍サイクル装置は、圧縮機、放熱器、減圧機構、蒸発器が環状に接続されて冷媒が循環する冷媒回路と、前記放熱器に湯水を循環させる搬送手段と、前記圧縮機の電流値を検出する圧縮機電流値検出手段と、前記蒸発器の冷媒の温度を検出する蒸発器温度検出手段と、外気温度を検出する外気温度検出手段と、前記圧縮機電流値検出手段が検出した電流値と前記蒸発器温度検出手段が検出した蒸発温度と前記外気温度検出手段が検出した外気温度とに基づいて、前記圧縮機より吐出される冷媒の圧力を推定する吐出圧力推定手段とを備え、前記吐出圧力推定手段により推定した圧力値が、予め設定された閾値を超えたときに、前記搬送手段の動作を変更することを特徴とするものである。
【００１５】
これによって、冷凍サイクル装置の運転が起動直後などの過渡状態において、蒸発器における冷媒温度が急激に変化し、蒸発器温度検出手段により検出する蒸発器温度が時間遅れを有して蒸発器における真の冷媒温度を正しく検出することができなくても、外気温度
検出手段により検出する外気温度から蒸発器における真の冷媒温度を正しく推定することで、吐出圧力を高い精度で推定することができ、高い精度で推定した吐出圧力に基づいて圧縮機または減圧機構を制御して動作させ、推定した圧力値が、予め設定された閾値を超えたときに搬送手段を制御して動作させることで、冷凍サイクル装置の吐出圧力の異常上昇を防止することが可能となる。
【発明の効果】
【００１６】
本発明によれば、冷凍サイクル装置の起動直後などの過渡状態においても、高い精度で吐出圧力を推定することができ、放熱器での熱交換熱量を低下させることなく、吐出圧力の異常上昇を防止できる冷凍サイクル装置を提供できる。
【図面の簡単な説明】
【００１７】
【図１】本発明の実施の形態１における冷凍サイクル装置の構成図
【図２】同蒸発器遅れ温度ΔＴｅと外気温度Ｔａｔの相関を示す図
【図３】同圧縮機電流値と蒸発器温度に対する推定吐出圧力の相関図
【図４】同冷凍サイクル装置の起動後の蒸発器遅れ温度の修正値を示す図
【図５】同冷凍サイクル装置起動後の蒸発器温度Ｔｅの経時変化を示す図
【図６】同冷凍サイクル装置起動後の吐出圧力Ｐｄの経時変化を示す図
【図７】本発明の実施の形態２における冷凍サイクル装置起動後の吐出圧力Ｐｄの補正値を示す図
【図８】同冷凍サイクル装置起動後の吐出圧力ＰｄとＣＯＰの経時変化を示す図
【図９】従来の冷凍サイクル装置の構成図
【図１０】他の従来の冷凍サイクル装置の構成図
【発明を実施するための形態】
【００１８】
第１の発明は、圧縮機、放熱器、減圧機構、蒸発器が環状に接続されて冷媒が循環する冷媒回路と、前記放熱器に湯水を循環させる搬送手段と、前記圧縮機の電流値を検出する圧縮機電流値検出手段と、前記蒸発器の冷媒の温度を検出する蒸発器温度検出手段と、外気温度を検出する外気温度検出手段と、前記圧縮機電流値検出手段が検出した電流値と前記蒸発器温度検出手段が検出した蒸発温度と前記外気温度検出手段が検出した外気温度とに基づいて、前記圧縮機より吐出される冷媒の圧力を推定する吐出圧力推定手段とを備え、前記吐出圧力推定手段により推定した圧力値が、予め設定された閾値を超えたときに、前記搬送手段の動作を変更することを特徴とするものである。
【００１９】
これにより、冷凍サイクル装置の起動直後などの過渡状態において、蒸発器における冷媒温度が急激に変化し、蒸発器温度検出手段が検出する蒸発器温度が時間遅れを有して蒸発器における真の冷媒温度を正しく検出することができなくても、外気温度検出手段により検出する外気温度から蒸発器における真の冷媒温度を推定することができるため、過渡状態においても、吐出圧力を高い精度で推定することができ、推定した吐出圧力に基づいて搬送手段を制御して動作させながら、推定した圧力値が予め設定された閾値を超えたときに、搬送手段を制御して動作させることで、冷凍サイクル装置の吐出圧力の異常上昇を防止することが可能となる。
【００２０】
第２の発明は、圧縮機から吐出される冷媒の温度を検出する吐出温度検出手段を備え、前記吐出圧力推定手段は、前記吐出温度検出手段が検出した吐出温度を用いて吐出圧力を推定することにより、冷凍サイクル装置の起動直後などの過渡状態において、圧縮機から吐出される冷媒温度が定常状態に達していなくても、吐出温度検出手段が検出する吐出温度により、圧縮機本体や圧縮機に接続される周辺配管の温度上昇に消費されるエネルギー消費量を推定することができ、圧縮機に供給される動力のうち、冷媒に供給されるエネルギーを推定して、過渡状態においても、より高い精度で吐出圧力を推定し、推定した圧力
値が予め設定された閾値を超えたときに、搬送手段を制御して動作させることで、冷凍サイクル装置の吐出圧力の異常上昇を防止することが可能となる。
【００２１】
第３の発明は、特に、第１または第２の発明において、吐出圧力推定手段により推定した吐出圧力が予め設定された目標値に一致するように、搬送手段を制御して動作させることにより、冷凍サイクル装置を高いエネルギー効率で運転することができる。
【００２２】
以下、本発明の実施の形態について、図面を参照しながら説明する。なお、この実施の形態によって本発明が限定されるものではない。
【００２３】
（実施の形態１）
図１は、本発明の第１の実施の形態における冷凍サイクル装置の構成図である。冷媒回路５は、図１に示すように圧縮機１、放熱器２、膨張弁３および蒸発器４が環状に接続されて構成され、冷媒として二酸化炭素が循環する。圧縮機電流値検出手段７は、制御基板６上に設けられる。また、６は制御基板、７は圧縮機電流値検出手段、８は蒸発器温度検出手段、９は外気温度検出手段、１０は吐出温度検出手段、１１は吐出圧力推定手段、１２は圧縮機制御手段、１３は膨張弁制御手段、１４は積層ポンプ制御手段、１７は前記放熱器２へ湯水を搬送する積層ポンプである。
【００２４】
蒸発器温度検出手段８は、蒸発器４の冷媒入口の配管表面上に設けられる。外気温度検出手段９は、蒸発器４へと導入される空気の温度を検出するように、蒸発器４の風上側に設けられる。吐出温度検出手段１０は、圧縮機１から放熱器２へと冷媒を導入する配管の表面上に設けられる。なお、吐出圧力推定手段１１、圧縮機制御手段１２および膨張弁制御手段１３は制御基板６上に設けられる。
【００２５】
以上のように構成された冷凍サイクル装置について、以下にその動作および作用を説明する。
【００２６】
冷凍サイクル装置が運転を行っている場合、圧縮機１の回転速度ｆｃは、放熱器２における加熱能力が目標値となるように、予め設定された回転速度に圧縮機制御手段１２により決定される。これによって、冷凍サイクル装置は、運転条件に応じて必要な加熱能力を満足する圧縮機回転速度を選択して運転を行うことができる。
【００２７】
膨張弁３の開度は、吐出温度検出手段１０が検出する吐出温度Ｔｄが予め設定された目標値に一致するように、膨張弁制御手段１３により制御され決定される。このようにすることによって、冷凍サイクル装置のエネルギー消費効率が最大になるように膨張弁３を制御して動作させることができる。なお、膨張弁制御手段１３は、外気温度が高くなるほど冷媒の過熱度が大きくなるように膨張弁３を制御するため、圧縮機１に吸入される冷媒の過熱度は外気温度Ｔａｔと相関を有する。圧縮機電流値検出手段７は、圧縮機１に供給される電流値Ｉｃを検出し、検出した電流値Ｉｃを信号として吐出圧力推定手段１１に送る。
【００２８】
蒸発器温度検出手段８は、蒸発器４の冷媒側入口における配管表面の温度を検出し、蒸発器における冷媒の温度を信号として吐出圧力推定手段１１に送る。蒸発器温度検出手段８は、配管表面の温度を検出しているため、冷凍サイクル装置の運転が略定常状態である場合は、検出した蒸発器温度Ｔｅと配管内部の冷媒温度が略同一になるが、冷凍サイクル装置が起動直後など過渡状態である場合は、蒸発器４における冷媒温度が急激に変化するため、検出した蒸発器温度Ｔｅは時間遅れを有して配管内部の冷媒温度と一致しない。
【００２９】
また、図２に示すように、蒸発器温度検出手段８が検出する蒸発器温度Ｔｅと配管内部
の冷媒温度との差である蒸発器遅れ温度ΔＴｅは、外気温度Ｔａｔが高くなるほど大きくなる傾向にある。これは、蒸発器温度検出手段８が検出する蒸発器温度が冷凍サイクル装置の運転前には外気温度Ｔａｔに近い温度になっているためである。
【００３０】
蒸発器遅れ温度ΔＴｅは、冷凍サイクル装置の起動直前まで蒸発器温度検出手段８が外気温度を検出しているため、冷凍サイクル装置の起動直後が最も大きく、時間経過とともに縮小して、一定の値へと漸近してく。これは、蒸発器温度検出手段８が検出する蒸発器温度が蒸発器４における冷媒温度へと漸近していくためである。外気温度検出手段９は、蒸発器４へと導入される空気の温度を検出し、外気温度Ｔａｔを信号として吐出圧力推定手段１１に送る。
【００３１】
吐出温度検出手段１０は、圧縮機１から吐出される冷媒が循環する配管表面の温度を検出し、吐出温度Ｔｄを信号として吐出圧力推定手段１１に送る。吐出温度検出手段１０は、配管表面温度を検出しているため、蒸発器温度Ｔｅと同様に、冷凍サイクル装置の運転が略定常状態である場合は、検出した吐出温度Ｔｄと配管内部の冷媒温度と略同一になるが、冷凍サイクル装置が起動直後など過渡状態にある場合は、圧縮機１から吐出される冷媒温度が急激に変化するため、検出した吐出温度Ｔｄは時間遅れを有して配管内部の冷媒温度と一致しない。吐出温度検出手段１０が検出する吐出温度Ｔｄは、冷凍サイクル装置の起動後、時間経過とともに、圧縮機１から吐出される冷媒温度へと漸近していく。
【００３２】
吐出圧力推定手段１１は、圧縮機電流値検出手段７が検出する圧縮機電流値Ｉｃ、蒸発器温度検出手段８が検出する蒸発器温度Ｔｅ、外気温度検出手段９が検出する外気温度Ｔａｔの各々に関する信号を受けて、これを用いて吐出圧力Ｐｄを推定する。
【００３３】
冷凍サイクル装置の運転が略定常状態であり、蒸発器温度検出手段８が検出する蒸発器温度Ｔｅが、十分に配管内部の冷媒温度に一致している場合は、図３に示す推定吐出圧力の相関テーブル、圧縮機電流値Ｉｃおよび蒸発器温度Ｔｅ用いて、吐出圧力Ｐｄを推定する。
【００３４】
一方、冷凍サイクル装置が起動直後など過渡状態である場合は、前述の通り、蒸発器温度検出手段８が検出する蒸発器温度Ｔｅが時間遅れを有して蒸発器４における真の冷媒温度と一致しないが、図２に示す外気温度、蒸発器遅れ温度ΔＴｅおよび圧縮機起動後の経過時間の相関を予め把握し、この相関に基づいて、図４に示すような修正値を用いて真の蒸発器温度を推定する。
【００３５】
このように蒸発器遅れ温度ΔＴｅを修正することによって、図５に示すように、修正しない場合よりも高い精度で真の蒸発器温度を推定することができる。そして、修正した蒸発器温度Ｔｅを用いて、図３に示す推定吐出圧力の相関テーブルから吐出圧力Ｐｄを推定する。このようにすることにより、冷凍サイクル装置の起動直後に蒸発器温度検出手段８が検出する蒸発器温度Ｔｅが時間遅れを有しても、外気温度Ｔａｔと圧縮機起動後の経過時間に基づいて適切に蒸発器温度を推定し、図６に示すように、蒸発器遅れ温度ΔＴｅを修正しない場合よりも高い精度で吐出圧力Ｐｄを推定することができる。
【００３６】
積層ポンプ制御手段１４は、吐出圧力推定手段１１が前述のようにして推定した吐出圧力Ｐｄが予め設定された閾値Ｐ０を超えると、冷凍サイクル装置に圧力の異常上昇が発生したと判断して、積層ポンプ１７を制御して動作させることで、冷凍サイクル装置の吐出圧力の異常上昇を防止する。
【００３７】
蒸発器遅れ温度ΔＴｅを修正しない場合は、図６に示すように、吐出圧力Ｐｄを高めに推定して真の吐出圧力が閾値Ｐ０に到達していないにも関わらず異常と判断してしまって
いたが、このようにすることにより、冷凍サイクル装置の起動直後に蒸発器温度検出手段８が検出する蒸発器温度Ｔａｔが時間遅れを有しても、正しく冷凍サイクル装置の圧力の異常上昇発生を判断して吐出圧力の異常上昇を防止することができる。
【００３８】
以上のように、本実施の形態においては吐出圧力推定手段１１が、圧縮機電流値検出手段７が検出する圧縮機電流値Ｉｃ、蒸発器温度検出手段８が検出する蒸発器温度Ｔｅと外気温度検出手段９が検出する外気温度Ｔａｔとを用いて吐出圧力Ｐｄを推定することにより、冷凍サイクル装置の起動直後などの過渡状態において、蒸発器温度検出手段８が検出する蒸発器温度Ｔｅが蒸発器４における冷媒温度に対して時間遅れを有していても、外気温度Ｔａｔと圧縮機起動後の経過時間とを用いて蒸発器温度を正しく推定するように作用する。
【００３９】
これによって、冷凍サイクル装置が起動直後などの過渡状態にあっても、吐出圧力の異常上昇の発生を正しく認知し、前記放熱器２へ湯水を搬送する搬送手段である積層ポンプ１７からの前記放熱器２への湯水の搬送量を変動させる、すなわち、前記放熱器２への湯水の搬送量を多くすれば吐出圧力を低下させるように、積層ポンプ１７の回転数を制御することで、設計圧力を超える吐出圧力の異常上昇を抑制することができる。
【００４０】
（実施の形態２）
本発明の第２の実施の形態における冷凍サイクル装置は、（実施の形態１）と同様に図１に示すように構成される。
【００４１】
以上のように構成された冷凍サイクル装置について、以下にその動作、作用を説明する。
【００４２】
冷凍サイクル装置が運転を行っている場合の圧縮機回転速度の決定方法、圧縮機電流値検出手段７、蒸発器温度検出手段８、外気温度検出手段９および吐出温度検出手段１０の動作は（実施の形態１）と同様であるので詳細説明は省略する。
【００４３】
吐出圧力推定手段１１は、圧縮機電流値検出手段７が検出する圧縮機電流値Ｉｃ、蒸発器温度検出手段８が検出する蒸発器温度Ｔｅ、外気温度検出手段９が検出する外気温度Ｔａｔに加えて、吐出温度検出手段１０が検出する吐出温度Ｔｄに基づいて吐出圧力を推定する。
【００４４】
冷凍サイクル装置の運転が略定常状態であり、吐出温度検出手段１０が検出する吐出温度Ｔｄが、十分に配管内部の冷媒温度に漸近している場合は、図３に示す予め用意した推定吐出圧力の相関テーブル、圧縮機電流値Ｉｃおよび蒸発器温度Ｔｅを用いて、吐出圧力Ｐｄを推定する。
【００４５】
一方、冷凍サイクル装置が起動直後など過渡状態である場合は、圧縮機１やその周囲に接続される配管の温度が十分に上昇しておらず、圧縮機１に供給される動力のうち一部しか冷媒にエネルギーとして供給されないため、吐出温度検出手段１０が検出する吐出温度Ｔｄと冷媒に供給されたエネルギーの相関を予め把握し、この相関に基づいて作成した図７に示すような吐出圧力の修正値を加えて真の吐出圧力Ｐｄを推定する。
【００４６】
このようにすることにより、冷凍サイクル装置の起動直後など過渡状態において、圧縮機１やその周囲に接続される配管の温度が十分に上昇していなくても、吐出温度検出手段１０が検出する吐出温度Ｔｄに基づいて、真の吐出圧力温度を推定することができ、図８に示すように、高めに推定していた吐出圧力Ｐｄを吐出温度Ｔｄを修正しない場合よりも高い精度で推定することができる。
【００４７】
積層ポンプ１７の回転数は、吐出圧力推定手段１１が推定した吐出圧力Ｐｄが予め定められた目標値となるように積層ポンプ制御手段１４によって制御される。このようにすることによって、図８に示すように、冷凍サイクル装置の起動直後など過渡状態において、冷凍サイクル装置のエネルギー消費効率が最大となるように積層ポンプ１７を制御して動作させることができる。
【００４８】
以上のように、本実施の形態においては吐出圧力推定手段１１が、圧縮機電流値検出手段７が検出する圧縮機電流値Ｉｃ、蒸発器温度検出手段８が検出する蒸発器温度Ｔｅ、外気温度検出手段９が検出する外気温度Ｔａｔと吐出温度検出手段１０が検出する吐出温度Ｔｄとを用いて吐出圧力Ｐｄを推定することにより、冷凍サイクル装置の起動直後などの過渡状態において、圧縮機１やその周辺に接続される配管の温度が十分に上昇していなくても、吐出温度検出手段１０が検出する吐出温度Ｔｄを用いて真の吐出圧力を正しく推定するように作用する。
【００４９】
これによって、冷凍サイクル装置が起動直後などの過渡状態にあっても、吐出圧力Ｐｄを正しく推定して、推定した吐出圧力Ｐｄを用いて、前記放熱器２へ湯水を搬送する搬送手段である積層ポンプ１７からの前記放熱器２への湯水の搬送量を変動させる、すなわち、前記放熱器２への湯水の搬送量を多くすれば吐出圧力を低下させ、前記放熱器２への湯水の搬送量を少なくすれば吐出圧力を上昇させるように、積層ポンプ１７の回転数を制御することで、冷凍サイクル装置のエネルギー消費効率が最大となるように運転させることができる。
【産業上の利用可能性】
【００５０】
以上のように、本発明にかかる冷凍サイクル装置は、圧力センサーや圧力スイッチなどを備えずとも、圧縮機からの吐出圧力を推定することができ、ヒートポンプ給湯機や温水暖房装置など、高圧側で冷媒を超臨界状態で使用する冷凍サイクル装置において、エネルギー効率の向上や保護装置の用途にも適用できる。
【符号の説明】
【００５１】
１  圧縮機
２  放熱器
３  膨張弁
４  蒸発器
５  冷媒回路
６  制御基板
７  圧縮機電流値検出手段
８  蒸発器温度検出手段
９  外気温度検出手段
１０  吐出温度検出手段
１１  吐出圧力推定手段
１２  圧縮機制御手段
１３  膨張弁制御手段
１４  積層ポンプ制御手段
１７  積層ポンプ（搬送手段）
５１  圧力スイッチ
５２  スイッチ手段
５３  圧縮機回転速度検出手段
５４  放熱器出口温度検出手段
５５  分岐配管
【図１】
2012067930.tif 000003
【図２】
2012067930.tif 000004
【図３】
2012067930.tif 000005
【図４】
2012067930.tif 000006
【図５】
2012067930.tif 000007
【図６】
2012067930.tif 000008
【図７】
2012067930.tif 000009
【図８】
2012067930.tif 000010
【図９】
2012067930.tif 000011
【図１０】
2012067930.tif 000012